(57)【特許請求の範囲】
【請求項１】
操作に応じて負荷を制御する操作信号を発生する操作部と、前記操作信号を取得して負荷を制御する機器へ無線送信する無線送信部及びスイッチ端末側アンテナとを有するスイッチ端末と、操作部を室内側に露出させた状態でスイッチ端末を着脱自在に嵌合保持して造営材に固定される支持部材とを備え、前記スイッチ端末は、スイッチ端末と支持部材とが嵌合した場合に操作部の操作状態を支持部材へ送信するスイッチ端末側情報通信部を有し、前記支持部材は、スイッチ端末と支持部材とが嵌合した場合にスイッチ端末側情報通信部からの信号を受信する支持部材側情報通信部と、前記支持部材側情報通信部で受信した信号の情報を表示する表示部と、スイッチ端末側アンテナと共に複合アンテナを構成する補助アンテナと、を有することを特徴とする電子スイッチ。
【請求項２】
支持部材は電源部及びスイッチ端末へ電力を供給する電源供給部を備え、スイッチ端末は電力を蓄電する蓄電部を備え、電源供給部はスイッチ端末と支持部材とが嵌合した場合に電源部から蓄電部へ電力を供給するものであることを特徴とする請求項１記載の電子スイッチ。
【請求項３】
電源供給部は磁界ループを用いた非接触で給電する構成であり、スイッチ端末側アンテナは、操作部を操作しない場合には電源回路に接続されて電源供給部より非接触で給電される磁界ループを構成し、操作部を操作する場合には電源回路から電気的に切り離されてアンテナとして機能することを特徴とする請求項２記載の電子スイッチ。
【請求項４】
電源部は発電素子で構成されており、支持部材は余剰電力を蓄電する余剰蓄電部を備えたことを特徴とする請求項２又は３記載の電子スイッチ。
【請求項５】
操作部は２値以上の状態遷移を保持する機構を有し、スイッチ端末と支持部材とが嵌合した場合に、支持部材側情報通信部は前記状態遷移の情報をスイッチ端末のスイッチ端末側情報通信部からの信号によって受信し、表示部は前記状態遷移の情報を表示するものであることを特徴とする請求項１記載の電子スイッチ。
【請求項６】
表示部は発光素子で形成され、スイッチ端末が支持部材から取り外された場合においても
表示を維持することを特徴とする請求項１又は５記載の電子スイッチ。
【請求項７】
スイッチ端末は、スイッチ端末と支持部材とが嵌合した場合に、表示部の発光素子の光を操作部に導光させて表示する補助表示部を備えたことを特徴とする請求項６記載の電子スイッチ。
【請求項８】
支持部材は周囲環境の状態を検知する検知部を備え、支持部材側情報通信部は、スイッチ端末と支持部材とが嵌合した場合に検知部によって検知された情報をスイッチ端末へ送信するものであり、スイッチ端末側情報通信部は、支持部材より送信される前記情報を受信し前記情報により操作部の操作状態を変更するものであることを特徴とする請求項１乃至７のいずれか一項に記載の電子スイッチ。
【請求項９】
検知部は人の存在を検知するセンサーで構成されており、支持部材側情報通信部は、スイッチ端末が支持部材から取り外された場合に、検知部によって検知された情報をスイッチ端末へ送信しないものであることを特徴とする請求項８記載の電子スイッチ。
【請求項１０】
支持部材は、負荷を制御する機器とスイッチ端末との間で行う通信方式とは異なる別の通信方式の通信処理部を備えたことを特徴とする請求項１乃至９のいずれか一項に記載の電子スイッチ。
【発明の詳細な説明】
【技術分野】
【０００１】
本願発明は、ワイヤレス信号により負荷を制御する機器へ操作状態を送信する電子スイッチに関するものである。
【背景技術】
【０００２】
従来から、特開２００７−１７４０９５号公報（特許文献１）に示されるように、電源と負荷とに直列接続されたスイッチ素子をオンオフ制御することによって負荷をオンオフ制御する制御回路部と、送信器から送信されるワイヤレス信号に呼応して制御回路部にスイッチ素子をオンオフ制御させるワイヤレス受信部とを有するスイッチ本体と、押釦のようなスイッチとスイッチの操作に応じてワイヤレス信号を送信するワイヤレス送信部とを有する送信器である電子スイッチとから構成されているワイヤレス配線器具が知られている。
【特許文献１】特開２００７−１７４０９５号公報
【発明の開示】
【発明が解決しようとする課題】
【０００３】
上記従来例では、送信器である電子スイッチは壁面に設置されるものであり、一度壁面に設置された場合に、場所を移動することは困難である。このことより、電子スイッチの設置後に、スイッチ本体と電子スイッチとの間に無線送信の障害となるものが存在するようになった場合に、電子スイッチによる遠隔操作ができなくなる。また、電子スイッチの設置場所とは異なった場所からの遠隔操作をすることへの対応は、別の電子スイッチを新たに設置する必要があった。
【０００４】
さらに、電子スイッチは内蔵されている送信アンテナによって、スイッチ本体へワイヤレス信号を送信するが、電子スイッチが壁面に取付けられていることより、無線通信の感度を向上させることが困難であった。
【０００５】
本願発明は、上記背景技術に鑑みて発明されたものであり、その目的は、負荷の制御を行う機器に対してワイヤレス信号を送信して負荷の制御を行う電子スイッチであって、電子スイッチの当初の設置場所とは異なる場所からの遠隔操作ができると共に、無線通信の性能を向上させることができる電子スイッチを提供することを課題とするものである。
【課題を解決するための手段】
【０００６】
上記課題を解決するために、本願請求項１記載の発明では、操作に応じて負荷を制御する操作信号を発生する操作部と、前記操作信号を取得して負荷を制御する機器へ無線送信する無線送信部及びスイッチ端末側アンテナとを有するスイッチ端末と、操作部を室内側に露出させた状態でスイッチ端末を着脱自在に嵌合保持して造営材に固定される支持部材とを備え、前記スイッチ端末は、スイッチ端末と支持部材とが嵌合した場合に操作部の操作状態を支持部材へ送信するスイッチ端末側情報通信部を有し、前記支持部材は、スイッチ端末と支持部材とが嵌合した場合にスイッチ端末側情報通信部からの信号を受信する支持部材側情報通信部と、前記支持部材側情報通信部で受信した信号の情報を表示する表示部と、スイッチ端末側アンテナと共に複合アンテナを構成する補助アンテナと、を有することを特徴としている。
【０００７】
本願請求項２記載の発明では、上記請求項１記載の電子スイッチにおいて、支持部材は電源部及びスイッチ端末へ電力を供給する電源供給部を備え、スイッチ端末は電力を蓄電する蓄電部を備え、電源供給部はスイッチ端末と支持部材とが嵌合した場合に電源部から蓄電部へ電力を供給するものであることを特徴としている。
【０００８】
本願請求項３記載の発明では、上記請求項２記載の電子スイッチにおいて、電源供給部は磁界ループを用いた非接触で給電する構成であり、スイッチ端末側アンテナは、操作部を操作しない場合には電源回路に接続されて電源供給部より非接触で給電される磁界ループを構成し、操作部を操作する場合には電源回路から電気的に切り離されてアンテナとして機能することを特徴としている。
【０００９】
本願請求項４記載の発明では、上記請求項２又は３記載の電子スイッチにおいて、電源部は発電素子で構成されており、支持部材は余剰電力を蓄電する余剰蓄電部を備えたことを特徴としている。
【００１１】
本願請求項５記載の発明では、上記請求項４記載の電子スイッチにおいて、操作部は２値以上の状態遷移を保持する機構を有し、スイッチ端末と支持部材とが嵌合した場合に、支持部材側情報通信部は前記状態遷移の情報をスイッチ端末のスイッチ端末側情報通信部からの信号によって受信し、表示部は前記状態遷移の情報を表示するものであることを特徴としている。
【００１２】
本願請求項６記載の発明では、上記請求項４又は５記載の電子スイッチにおいて、表示部は発光素子で形成され、スイッチ端末が支持部材から取り外された場合においても表示を維持することを特徴としている。
【００１３】
本願請求項７記載の発明では、上記請求項６記載の電子スイッチにおいて、スイッチ端末は、スイッチ端末と支持部材とが嵌合した場合に、表示部の発光素子の光を操作部に導光させて表示する補助表示部を備えたことを特徴としている。
【００１４】
本願請求項８記載の発明では、上記請求項１乃至７のいずれか一項に記載の電子スイッチにおいて、支持部材は周囲環境の状態を検知する検知部を備え、支持部材側情報通信部は、スイッチ端末と支持部材とが嵌合した場合に検知部によって検知された情報をスイッチ端末へ送信するものであり、スイッチ端末側情報通信部は、支持部材より送信される前記情報を受信し前記情報により操作部の操作状態を変更するものであることを特徴としている。
【００１５】
本願請求項９記載の発明では、上記請求項８記載の電子スイッチにおいて、検知部は人の存在を検知するセンサーで構成されており、支持部材側情報通信部は、スイッチ端末が支持部材から取り外された場合に、検知部によって検知された情報をスイッチ端末へ送信しないものであることを特徴としている。
【００１６】
本願請求項１０記載の発明では、上記請求項１乃至９のいずれか一項に記載の電子スイッチにおいて、支持部材は、負荷を制御する機器とスイッチ端末との間で行う通信方式とは異なる別の通信方式の通信処理部を備えたことを特徴としている。
【発明の効果】
【００１７】
本発明は、操作部と、負荷を制御する機器へ無線送信する無線送信部及びスイッチ端末側アンテナとを有するスイッチ端末と、スイッチ端末を着脱自在に嵌合保持して造営材に固定される支持部材とを備えているので、スイッチ端末を取り外して、電子スイッチの当初の設置場所とは異なる場所にスイッチ端末を移動させて負荷を制御することができる。さらに、支持部材は、スイッチ端末と支持部材とが嵌合した場合に、スイッチ端末側アンテナと共に複合アンテナを構成する補助アンテナを備えているので、無線通信の性能を向上させることができる。また、スイッチ端末と支持部材とで構成されているので、壁への施工性を容易にすることができる。
【００１８】
また、本発明は、特に、支持部材は電源部及び電源供給部を備え、スイッチ端末は電力を蓄電する蓄電部を備え、電源供給部はスイッチ端末と支持部材とが嵌合した場合に電源部から蓄電部へ電力を供給するものであるので、スイッチ端末に交換の必要な電源を搭載する必要がなくスイッチ端末の小型化が可能である。
【００１９】
また、本発明は、特に、電源供給部は磁界ループを用いた非接触で給電する構成であるので、スイッチ端子及び支持部材に電源供給用の端子を露出して形成する必要がなくなり、簡易な防水構造とすることができる。さらに、スイッチ端末側アンテナは、操作部を操作しない場合には電源回路に接続されて電源供給部より非接触で給電される磁界ループを構成し、操作部を操作する場合には電源回路から電気的に切り離されてアンテナとして機能するので、磁界ループの機能とアンテナの機能とを別の構成とする必要がなく、スイッチ端末の小型化が可能である。
【００２０】
また、本発明は、特に、電源部は発電素子で構成されているので、電源部に電池を用いた場合のような定期的な交換が不要となる。さらに、支持部材は余剰電力を蓄電する余剰蓄電部を備えたことによって、発電素子によって発生した電力のうち余剰分を蓄電することができ、発電素子が発電できない環境になった場合においても、一定量の電力を供給することができる。
【００２１】
また、本発明は、特に、支持部材は、スイッチ端末と支持部材とが嵌合した場合にスイッチ端末から操作部の操作状態を受信する支持部材側情報通信部と、前記支持部材側情報通信部で受信した信号の情報を表示する表示部とを備えているので、スイッチ端末の操作状態を支持部材に表示することができる。このことによって、容易に負荷の制御状態を確認することができる。
【００２２】
また、本発明は、特に、操作部は状態遷移を保持する機構を有し、スイッチ端末と支持部材とが嵌合した場合に、表示部は前記状態遷移の情報を表示するものであるので、負荷を制御する機器からの負荷制御状態を受信しない電子スイッチであっても、負荷の制御状態を正確に表示することができる。
【００２３】
また、本発明は、特に、表示部は発光素子で形成され、スイッチ端末が支持部材から取り外された場合においても表示を維持するものであるので、暗い環境下においても支持部材の設置位置を容易に認識することができる。
【００２４】
また、本発明は、特に、スイッチ端末は、スイッチ端末と支持部材とが嵌合した場合に、表示部の発光素子の光を操作部に導光させて表示する補助表示部を備えているので、暗い環境下であっても操作部の位置を明示することができ、操作性の向上を図ることができる。
【００２５】
また、本発明は、特に、支持部材は周囲環境の状態を検知する検知部を備え、支持部材側情報通信部は、スイッチ端末と支持部材とが嵌合した場合に検知部によって検知された情報をスイッチ端末へ送信するものであり、スイッチ端末側情報通信部は、支持部材より送信される前記情報を受信し前記情報により操作部の操作状態を変更するものであるので、操作部の操作による負荷制御を行う機能に加えて、支持部材が設置されている周囲の環境に応じて負荷を制御する機能を一体に併せ持つことができる。
【００２６】
また、本発明は、特に、検知部は人の存在を検知するセンサーで構成されているので、支持部材が設置されている周囲の人が存在を検知することができ、人の存在情報を用いた負荷の制御を行うことができる。さらに、支持部材側情報通信部は、スイッチ端末が支持部材から取り外された場合に、検知部によって検知された情報をスイッチ端末へ送信しないものであるので、スイッチ端末が支持部材から取り外されている場合には、操作部の操作を優先した負荷の制御を行う動作内容へと変更することができ、容易に動作内容の変更が可能である。
【００２７】
また、本発明は、特に、支持部材は、負荷を制御する機器とスイッチ端末との間で行う通信方式とは異なる別の通信方式を行う通信処理部を備えているので、当該他の通信方式を用いる他のシステムへスイッチ端末の操作状態や負荷の制御状態を送信できると共に、他のシステムの情報を取得することができる。このことによって、他のシステムの連携を構築することが容易に実現できる。
【発明を実施するための最良の形態】
【００２８】
図１〜図３は、本願発明の第１の実施形態である電子スイッチを示している。電子スイッチＡは、操作に応じて負荷Ｆを制御する操作信号を発生する操作部であるスイッチハンドル１１と、前記操作信号を取得して負荷Ｆを制御する機器であるスイッチ本体Ｂへ無線送信する無線送信部１２及びスイッチ端末側アンテナ１３とを有するスイッチ端末１と、前記スイッチハンドル１１を室内側に露出させた状態でスイッチ端末１を着脱自在に嵌合保持して造営材に固定される支持部材２とを備え、支持部材２は、スイッチ端末１と支持部材２とが嵌合した場合に、スイッチ端末側アンテナ１３と共に複合アンテナを構成する補助アンテナ２１を備えたものである。また、支持部材２は電源部２２及びスイッチ端末1へ電力を供給する電源供給部２３を備え、スイッチ端末１は電力を蓄電する蓄電部１４を備え、電源供給部２３はスイッチ端末１と支持部材２とが嵌合した場合に電源部２２から蓄電部１４へ電力を供給するものである。また、スイッチ端末１は、スイッチ端末１と支持部材２とが嵌合した場合にスイッチハンドル１１の操作状態を支持部材２へ送信するスイッチ端末側情報通信部１６を備え、支持部材２は、スイッチ端末１と支持部材２とが嵌合した場合にスイッチ端末側情報通信部１６からの信号を受信する支持部材側情報通信部２４と、前記支持部材側情報通信部２４で受信した信号の情報を表示する表示部２６とを備えている。また、スイッチハンドル１１は２値以上の状態遷移を保持する機構を有し、スイッチ端末１と支持部材２とが嵌合した場合に、支持部材側情報通信部２４は前記状態遷移の情報をスイッチ端末１のスイッチ端末側情報通信部１６からの信号によって受信し、表示部２６は前記状態遷移の情報を表示するものである。また、表示部２６は発光素子で形成され、スイッチ端末１が支持部材２から取り外された場合においても表示を維持するものである。また、スイッチ端末１は、スイッチ端末１と支持部材２とが嵌合した場合に、表示部２６の発光素子の光をスイッチハンドル１１に導光させて表示する補助表示部１５を備えている。
【００２９】
以下、この実施形態の電子スイッチをより具体的詳細に説明する。本実施形態の電子スイッチＡは、図１に示すように、照明器具や換気扇などの負荷Ｆに電気的に接続されて、負荷Ｆをオンオフ制御するスイッチ本体Ｂへ制御命令の内容を無線送信するものであり、電子スイッチＡのスイッチ端末１の操作内容によって制御命令の内容が決定される。
【００３０】
電子スイッチＡは、図２に示すように、スイッチ端末１と支持部材２とで構成されており、支持部材２の略中央部の前面にスイッチ端末１が着脱可能に嵌合保持されている。
【００３１】
スイッチ端末１の前面には押操作される操作部であるスイッチハンドル１１が設けられ、スイッチハンドル１１の側方には、支持部材２に内蔵したＬＥＤの点灯を用いてスイッチハンドル１１の操作状態を表示する表示部２６の表示内容を視認できるように、表示部２６のＬＥＤ表示を導光させて表示する補助表示部１５が配置されている。
【００３２】
支持部材２は、略中央部をスイッチ端末１の幅、高さ、奥行きに合わせて凹部２０１を形成し、その周りをプレート部２０２で構成されている。凹部２０１の底面にはスイッチ端末１を嵌合保持するための磁石（図示せず）が配設されている。スイッチ端末１の後面にも前記磁石に対応した位置に磁石（図示せず）が配設されている。このような構成によって、スイッチ端末１は支持部材２の凹部２０１に嵌合保持されることとなる。なお、本実施形態では、スイッチ端末１と支持部材２との嵌合保持には磁石を用いたものを示したが、これに限定されることはなく、機械的に嵌合保持する嵌合片と嵌合孔との組み合わせであってもよい。
【００３３】
支持部材２の凹部２０１の底面側方には、スイッチハンドル１１の操作状態を表示する表示部２６が配置され、表示部２６はスイッチハンドル１１の操作状態に応じて発光色が変化するものである。この表示部２６は、スイッチハンドル１１の操作状態を示す動作表示灯と周囲が暗いときに電子スイッチＡの場所を示す位置確認灯との両方の機能に兼用されている。
【００３４】
なお、電子スイッチ１は、たとえばＪＩＳ規格において埋込型の配線器具の取付枠として規格化されている大角連用形の取付枠に取付可能な形状、または規格化されていないがシリーズ製品として同仕様に設計された複数種類の埋込型配線器具で共用される取付枠に取付可能な形状、あるいはまたこの種の取付枠と同様の取付方が可能な取付枠を一体に備える形状のいずれかを採用することができる。
【００３５】
図３に示すように、スイッチ端末１は、スイッチハンドル１１と、スイッチ本体Ｂへスイッチハンドル１１の操作状態を無線送信する無線送信部１２及びスイッチ端末側アンテナ１３と、支持部材２より電源供給されて電力を蓄電する蓄電部１４とを備えている。
【００３６】
スイッチハンドル１１は、オンとオフの２値を保持する押釦からなるスイッチで構成されている。無線送信部１２は、スイッチハンドル１１のオン及びオフの状態を取得して、スイッチ端末側アンテナ１３を介してスイッチ本体Ｂに無線送信される。
【００３７】
ここで、スイッチ本体Ｂは、スイッチ端末１より無線送信される無線信号を受信する無線受信部３１及び受信アンテナ３２と、無線受信部３１で受信した無線信号の情報を取得する制御回路部３３と、制御回路部３３から負荷Ｆをオン又はオフする命令を取得する電源回路部３４と、電源回路部３４からの命令により負荷Ｆに接続されている回路を開閉する負荷開閉部３５とを備えている。
【００３８】
スイッチ端末１から無線送信される操作状態（オン状態又はオフ状態）を受信して、スイッチ本体Ｂの負荷開閉部３５は、負荷Ｆの回路の開閉動作を行う。このことによって、スイッチハンドル１１の操作によって負荷Ｆを遠隔よりオンオフすることができる。
【００３９】
なお、本実施形態では、スイッチハンドル１１はオンとオフの２値を保持するスイッチを有しているものを示したが、これに限定されるものではなく、負荷Ｆが換気扇などの場合に対応して、強、弱、オフの３値を保持する機構を有しているものであっても、それ以上の値を保持する機構を有していてもよい。
【００４０】
支持部材２は、補助アンテナ２１を備えており、スイッチ端末１と支持部材２とが嵌合した場合に、補助アンテナ２１はスイッチ端末側アンテナ１３と接続されるように構成されており、両アンテナによって複合アンテナを構成することができる。
【００４１】
したがって、スイッチハンドル１１と、負荷Ｆを制御する機器であるスイッチ本体Ｂへ無線送信する無線送信部１２及びスイッチ端末側アンテナ１３とを有するスイッチ端末１と、スイッチ端末１を着脱自在に嵌合保持して造営材に固定される支持部材２とを備えているので、スイッチ端末１を取り外して、電子スイッチＡの当初の設置場所とは異なる場所にスイッチ端末１を移動させて負荷Ｆを制御することができる。さらに、支持部材２は、誘電体で形成されている補助アンテナ２１を有し、スイッチ端末１と支持部材２とが嵌合した場合に、スイッチ端末側アンテナ１３と補助アンテナ２１とが複合アンテナを構成するので、スイッチ端末１を支持部材２に嵌合保持させた状態でスイッチハンドル１１を操作してスイッチ本体Ｂへ負荷Ｆの制御内容を無線送信する場合には、より無線通信の感度を向上させることができる。
【００４２】
支持部材２は、乾電池や蓄電池などで構成されている電源部２２と、電源部２２の電力をスイッチ端末１へ供給する電源供給部２３とを備えており、スイッチ端末１は、支持部材２から電力の供給を受けて蓄電する蓄電部１４を備えている。
【００４３】
支持部材２は、スイッチ端末１が支持部材２に嵌合されたか否かを判断する判断部（図示せず）を有しており、電源供給部２３は、判断部（図示せず）よりスイッチ端末１が嵌合されたとの情報を取得した場合には、電源部２２と蓄電部１４とを電気的に接続するように回路の開閉を制御して、電源部２２の電力を蓄電部１４へ供給する。ここで、判断部は、スイッチ端末１が支持部材２の嵌合によってスイッチが押圧されて検知する接点スイッチを具備する機械式の押圧センサーを用いるものであっても、赤外線を用いた測距センサーを用いるものであってもよい。
【００４４】
したがって、支持部材２は電源部２２及び電源供給部２３を備え、スイッチ端末１は電力を蓄電する蓄電部１４を備え、電源供給部２３はスイッチ端末１と支持部材２とが嵌合した場合に電源部２２から蓄電部２３へ電力を供給するものであるので、スイッチ端末１に交換の必要な電源を搭載する必要がなくスイッチ端末１の小型化が可能である。
【００４５】
支持部材２は、スイッチ端末１と支持部材２とが嵌合した場合に、スイッチ端末側情報通信部１６より送信されるスイッチハンドル１１の操作状態（オン状態又はオフ状態）を受信することができる支持部材側情報通信部２４を備えている。ここで、両情報通信部１６、２４は、無線通信を用いて通信してもよいし、赤外線通信を用いて通信してもよいし、接点信号などを用いた機構などによって通信するものである。このことによって、支持部材側情報通信部２４は、スイッチハンドル１１の操作状態の情報を常に取得することができる。
【００４６】
さらに、支持部材２は、取得したスイッチハンドル１１の操作状態を表示する表示部２６を備えている。表示部２６はスイッチハンドル１１の操作状態に応じてＬＥＤの発光色が変化するものであって、オン状態では赤色とし、オフ状態では緑色とするなどして、一目でスイッチハンドル１１の操作状態すなわち負荷Ｆの制御状態を確認することができる。また、表示部２６のＬＥＤ点灯はスイッチ端末１が取り外された場合であっても維持されるものである。
【００４７】
なお、本実施形態では、表示部２６としてＬＥＤの点灯を用いて表示するものを示したが、これに限定されることはなく、液晶画面を用いてスイッチハンドル１１の操作状態を表示するものであってもよい。
【００４８】
したがって、支持部材２は、スイッチ端末１と支持部材２とが嵌合した場合にスイッチ端末１からスイッチハンドル１１の操作状態を受信する支持部材側情報通信部２４と、前記支持部材側情報通信部２４で受信した信号の情報を表示する表示部２６とを備えているので、スイッチ端末１の操作状態を支持部材２に表示することができる。このことによって、容易に負荷Ｆの制御状態を確認することができる。
【００４９】
そして、スイッチハンドル１１は状態遷移を保持する機構を有し、スイッチ端末１と支持部材２とが嵌合した場合に、表示部２６は前記状態遷移の情報を表示するものであるので、負荷Ｆを制御する機器であるスイッチ本体Ｂからの負荷制御状態を受信しない電子スイッチＡであっても、負荷Ｆの制御状態を正確に表示することができる。
【００５０】
また、表示部２６は発光素子で形成され、スイッチ端末１が支持部材２から取り外された場合においても表示を維持するものであるので、暗い環境下においても支持部材２の設置位置を容易に認識することができる。
【００５１】
さらに、スイッチ端末１は、スイッチ端末１と支持部材２とが嵌合した場合に、表示部２６の発光素子の光をスイッチハンドル１１に導光させて表示する補助表示部１５を備えているので、暗い環境下であっても操作部の位置を明示することができ、操作性の向上を
次に、本願発明の第２の実施形態である電子スイッチを説明する。ここでは、上記第１の実施形態と相違する事項についてのみ説明し、その他の事項（構成、作用効果等）については、上記第１の実施形態と同様であるのでその説明を省略する。
【００５２】
図４に示すように、電源供給部２３は磁界ループを用いた非接触で給電する構成であり、スイッチ端末１と接触する凹部２０１の底面の内部にコイル２３ａを備えている。スイッチ端末側アンテナ１３は、コイル２３ａに対応したスイッチ端末１の後面側の内部に配置されている。スイッチ端末側アンテナ１３は、無線送信部１２及び蓄電部１４に接続されてコイル状に形成されている。さらに、スイッチハンドル１１の操作の有無を判断して接続を切り替える切替部１３ａを備えており、切替部１３ａは、スイッチハンドル１１を操作していない場合、スイッチ端末側アンテナ１３を無線送信部１２とは切り離し、蓄電部１４に接続して、スイッチ端末側アンテナ１３を電源供給部２３より非接触で給電される磁界ループのコイルとして機能させるものである。一方、スイッチハンドル１１を操作している場合、切替部１３ａは、スイッチ端末側アンテナ１３を蓄電部１４から切り離し、無線送信部１２と接続してスイッチ端末側アンテナ１３をアンテナとして機能させるものである。
【００５３】
したがって、電源供給部２３は磁界ループを用いた非接触で給電する構成であるので、スイッチ端子１及び支持部材２に電源供給用の端子を露出して形成する必要がなくなり、簡易な防水構造とすることができる。さらに、スイッチ端末側アンテナ１３は、スイッチハンドル１１を操作しない場合には電源回路に接続されて電源供給部２３より非接触で給電される磁界ループを構成し、スイッチハンドル１１を操作する場合には電源回路から電気的に切り離されてアンテナとして機能するので、磁界ループの機能とアンテナの機能とを別の構成とする必要がなく、スイッチ端末１の小型化が可能である。
【００５４】
次に、本願発明の第３の実施形態である電子スイッチを説明する。ここでは、上記第１及び第２の実施形態と相違する事項についてのみ説明し、その他の事項（構成、作用効果等）については、上記第１及び第２の実施形態と同様であるのでその説明を省略する。
【００５５】
電源部２２は太陽光発電を行う発電素子で構成されており、支持部材２の前面のプレート部２０２の表面に太陽光発電パネルを装着している。太陽光発電によって発電され、無線受信部２４や表示部２６などの動作電力として用いられる。さらに、図５に示すように、支持部材１は余剰電力を蓄電する余剰蓄電部２７を備えており、太陽光発電によって発電されたが、各部で使用されなかった電力が蓄電される。
【００５６】
したがって、電源部２２は発電素子で構成されているので、電源部２２に電池を用いた場合のような定期的な交換が不要となる。さらに、支持部材２は余剰電力を蓄電する余剰蓄電部２７を備えたことによって、発電素子によって発生した電力のうち余剰分を蓄電することができ、発電素子が発電できない環境になった場合においても、一定量の電力を供給することができる。
【００５７】
次に、本願発明の第４の実施形態である電子スイッチを説明する。ここでは、上記第１〜第３の実施形態と相違する事項についてのみ説明し、その他の事項（構成、作用効果等）については、上記第１〜第３の実施形態と同様であるのでその説明を省略する。
【００５８】
図６に示すように、支持部材２は周囲の人の存在を検知するセンサーで構成されている検知部２８をプレート部２０２の表面に備えている。さらに、図７に示すように、支持部材２は、スイッチ端末１と支持部材２とが嵌合した場合に、検知部２８によって検知された情報をスイッチ端末１へ送信する支持部材側情報通信部２４とを備えている。スイッチ端末１は、支持部材側情報通信部２４より検知部２８での検知情報を受信するスイッチ端末側情報通信部１６を備えている。
【００５９】
検知部２８によって人の存在を検知した場合、支持部材側情報通信部２４はスイッチ端末１のスイッチ端末側情報通信部１６へ人が存在することを送信する。スイッチ端末側情報通信部１６は、人が存在することの情報を受信した場合には、スイッチハンドル１１の操作状態をオン状態へ変更する。また、検知部２８によって人が存在しないと検知された場合、支持部材側情報通信部２４はスイッチ端末１のスイッチ端末側情報通信部１６へ人が存在しないことを送信する。スイッチ端末側情報通信部１６は、人が存在しないことの情報を受信した場合には、スイッチハンドル１１の操作状態をオフ状態へ変更する。
【００６０】
また、支持部材２の支持部材側情報通信部２４は、スイッチ端末１が支持部材２から取り外された場合に、検知部２８によって検知された情報をスイッチ端末１へ無線送信しないものである。
【００６１】
したがって、支持部材２は周囲環境の状態を検知する検知部２８を備え、支持部材側情報通信部２４は、スイッチ端末１と支持部材２とが嵌合した場合に検知部２８によって検知された情報をスイッチ端末１へ送信するものであり、スイッチ端末側情報通信部１６は、支持部材２より送信される前記情報を受信し前記情報によりスイッチハンドル１１の操作状態を変更するものであるので、スイッチハンドル１１の操作による負荷Ｆの制御を行う機能に加えて、支持部材２が設置されている周囲の環境に応じて負荷Ｆを制御する機能を電子スイッチＡ一体に併せ持つことができる。
【００６２】
さらに、検知部２８は人の存在を検知するセンサーで構成されているので、支持部材２が設置されている周囲の人が存在を検知することができ、人の存在情報を用いた負荷Ｆの制御を行うことができる。さらに、支持部材２の支持部材側情報通信部２４は、スイッチ端末１が支持部材２から取り外された場合に、検知部２８によって検知された情報をスイッチ端末１へ送信しないものであるので、スイッチ端末１が支持部材２から取り外されている場合には、スイッチハンドル１１の操作を優先した負荷Ｆの制御を行う動作内容へと変更することができ、容易に動作内容の変更が可能である。
【００６３】
次に、本願発明の第５の実施形態である電子スイッチを説明する。ここでは、上記第１〜第４の実施形態と相違する事項についてのみ説明し、その他の事項（構成、作用効果等）については、上記第１〜第４の実施形態と同様であるのでその説明を省略する。
【００６４】
図８に示すように、支持部材２は、負荷Ｆを制御する機器でありスイッチ本体Ｂとスイッチ端末１との間で行う通信方式とは異なる、例えば赤外線を用いた通信などの別の通信方式を行う通信処理部２０を備えている。通信処理部２０は、支持部材２で取得しているスイッチハンドル１１の操作状態や検知部２８での検知情報を、別の通信方式へ送信するために処理することができる。さらに、他のシステムより様々な情報を受信する処理を行うこともできる。また、支持部材２のプレート部２０２の表面には、別の通信方式を行うことができる送受信部２０ａを備えている。
【００６５】
したがって、支持部材２は、負荷Ｆを制御する機器であるスイッチ本体Ｂとスイッチ端末１との間で行う通信方式とは異なる別の通信方式を行う通信処理部２０を備えているので、当該他の通信方式を用いる他のシステムへスイッチ端末１の操作状態や負荷Ｆの制御状態を送信できると共に、他のシステムの情報を取得することができる。このことによって、他のシステムの連携を構築することが容易に実現できる。
【図面の簡単な説明】
【００６６】
【図１】本願発明の第１の実施形態である電子スイッチにおけるシステム構成図である。
【図２】同電子スイッチにおける（ａ）電子スイッチ全体の正面図、（ｂ）スイッチ端末の正面図及び（ｃ）支持部材の正面図である。
【図３】同電子スイッチにおけるスイッチ端末及び支持部材のブロック図である。
【図４】本願発明の第２の実施形態である電子スイッチにおけるスイッチ端末及び支持部材のブロック図である。
【図５】本願発明の第３の実施形態である電子スイッチにおけるスイッチ端末及び支持部材のブロック図である。
【図６】本願発明の第４の実施形態である電子スイッチの正面図である。
【図７】同電子スイッチにおけるスイッチ端末及び支持部材のブロック図である。
【図８】本願発明の第５の実施形態である電子スイッチにおけるスイッチ端末及び支持部材のブロック図である。
【図９】同電子スイッチの正面図である。
【符号の説明】
【００６７】
１  スイッチ端末
１１  操作部（スイッチハンドル）
１２  無線送信部
１３  スイッチ端末側アンテナ
１４  蓄電部
１５  補助表示部
１６  スイッチ端末側情報通信部
２  支持部材
２０  通信処理部
２１  補助アンテナ
２２  電源部
２３  電源供給部
２４  支持部材側情報通信部
２５  支持部材側アンテナ
２６  表示部
２７  余剰蓄電部
２８  検知部
Ａ  電子スイッチ
Ｂ  スイッチ本体
【図１】
0005003367.tif 000002
【図２】
0005003367.tif 000003
【図３】
0005003367.tif 000004
【図４】
0005003367.tif 000005
【図５】
0005003367.tif 000006
【図６】
0005003367.tif 000007
【図７】
0005003367.tif 000008
【図８】
0005003367.tif 000009
【図９】
0005003367.tif 000010